(57)【要約】【課題】本発明は、ダンパ等の別部品を用いることのない単純な構造で原稿載置台の閉動作に伴う本体部への衝突を回避できる画像読取装置を提供することを目的とするものである。【解決手段】画像読取装置の本体部７に回動可能に取り付けた原稿トレイ１０の底面には、回転軸体１０１の周囲に突起部１０７が形成されており、その外周面に本体部７の上面Ｓに対する摺接面Ｔが形成されている。突起部１０７の摺接面Ｔの形状は、原稿トレイ１０の前端面から底面にかけて曲面状に形成されており、回転軸体１０１と摺接面Ｔとの間の距離は、前端側から底面側にいくに従い次第に大きくなるように設定されている。摺接面Ｔが上面Ｓに摺接して摩擦力が発生し、発生した摩擦力が次第に大きくなるようにすれば原稿トレイ１０から手を離しても静かに閉じるようにすることができる。【選択図】図４
2007235631.tif 000002
【特許請求の範囲】
【請求項１】
原稿載置台に設けられた回転軸体を本体部の軸受体に装着して原稿載置台を回動して開閉可能に取り付けた画像読取装置において、前記原稿載置台は、前記回転軸体の近傍の底面において前記本体部の上面に摺接する突起部が形成されており、前記突起部の形状は、その摺接面で作用する摩擦力が前記原稿載置台の閉動作に応じて次第に大きくなるように形成されていることを特徴とする画像読取装置。
【請求項２】
前記突起部の摺接面の形状は、前記回転軸体の回転中心軸から前記摺接面までの距離が次第に大きくなる曲面状に形成されていることを特徴とする請求項１に記載の画像読取装置。
【発明の詳細な説明】
【技術分野】
【０００１】
本発明は、複写機、ファクシミリ装置などの画像形成装置に適用可能な、原稿を読取可能な画像読取装置に関する。
【背景技術】
【０００２】
従来、自動原稿送り装置（ＡＤＦ）を備えた画像形成装置においては、搬送ベルトにより原稿を搬送してプラテンガラス上に位置決めし、プラテンガラスの下方をスキャナが移動して原稿を読み取るシート固定タイプと、プラテンガラスの下方にスキャナを停止させておき、原稿を一定速度でプラテンガラス上を搬送させながら原稿の読み取りを行うシートスルータイプが知られている。
【０００３】
シートスルータイプでは、ホッパ等の原稿載置台に読み取る原稿をセットして１枚ずつ自動的に搬送して原稿を読み取ることができ、読み取った原稿は、原稿載置台の下方の排出トレイに自動的に搬出されるようになる。原稿載置台は、画像読取装置の本体部に回動可能に取り付けられており、原稿載置台の下方の読取済み原稿を取り出す際に原稿載置台を上方に回動して開いた状態にし、原稿を取り出した後原稿載置台を下方に回動させて元の位置に戻すようにしている。
【０００４】
原稿載置台のこうした開閉動作が行われる場合、利用者は、原稿を取り出した後に原稿載置台を持って閉じる際に下方に回動する原稿載置台から手を離してしまうと、重力により原稿載置台が本体部に衝突して大きな音が発生したり、衝突により破損してしまうおそれがある。
【０００５】
こうした開閉動作に伴う問題点に対しては、例えば、特許文献１では、給紙動作時にホッパバネの付勢力によりホッパが給紙ローラに向けて瞬時に接近する動きを抑制して、紙しわ等の変形や不揃い更には騒音といった問題の発生を防止する給紙装置が記載されている。また、特許文献２では、装置本体に開閉可能に設けられたカバー部材に開閉の際に押圧負荷を付与するダンパー手段を設けた点が記載されている。また、特許文献３では、アクセスカバーに扇形の太陽ギヤを一体に設け、ベースフレームに、緩衝部材であるオイルダンパー及び遊星ギヤアッセンブリを設けて、アクセスカバーを閉じる際のみ負荷がかかるようにした点が記載されている。
【特許文献１】特開２０００−９５３６３号公報
【特許文献２】特開２００４−４５５８５号公報
【特許文献３】特開平６−３５０２６６号公報
【発明の開示】
【発明が解決しようとする課題】
【０００６】
上述した先行文献では、ダンパやギアといった部品を付加してカバーの閉動作の緩衝作用をもたせるようにしているが、こうした部品を付加すると重量が重くなったり、装置自体がコンパクトに設計することができなくなる。特に、画像読取装置では、書籍を読み取るために原稿カバーを開閉する構造となっており、開閉する原稿カバーに原稿載置台が搭載されているため、原稿載置台の開閉構造に部品を付加することは、原稿カバーの重量が大きくなり、その開閉動作負担が大きくなってしまう。また、原稿載置台の開閉機構が大きくなると、原稿カバーの設計がコンパクトに収めることができなくなってデザインを設計する際の自由度が低下してしまう。
【０００７】
そこで、本発明は、ダンパ等の別部品を用いることのない単純な構造で原稿載置台の閉動作に伴う本体部への衝突を回避できる画像読取装置を提供することを目的とするものである。
【課題を解決するための手段】
【０００８】
本発明に係る画像読取装置は、原稿載置台に設けられた回転軸体を本体部の軸受体に装着して原稿載置台を回動して開閉可能に取り付けた画像読取装置において、前記原稿載置台は、前記回転軸体の近傍の底面において前記本体部の上面に摺接する突起部が形成されており、前記突起部の形状は、その摺接面で作用する摩擦力が前記原稿載置台の閉動作に応じて次第に大きくなるように形成されていることを特徴とする。さらに、前記突起部の摺接面の形状は、前記回転軸体の回転中心軸から前記摺接面までの距離が次第に大きくなる曲面状に形成されていることを特徴とする。
【発明の効果】
【０００９】
上記のような構成を有することで、回転軸体の近傍の底面において本体部の上面に摺接する突起部を形成してその摺接面で作用する摩擦力が原稿載置台の閉動作に応じて次第に大きくなるので、原稿載置台を閉める際に原稿載置台から手を離しても摺接面に作用する摩擦力により原稿載置台の動きが制動されて本体部に衝突することが回避される。そして、回転軸体の近傍に突起部を形成することで、回転軸体と本体部の上面との間に形成された突起部が本体部の上面に与える抗力を調整して摺接面に作用する摩擦力の大きさを調整することができる。したがって、原稿載置台の閉動作に応じて摩擦力を次第に大きくして原稿載置台が衝突しないように調整するといったことが容易に行うことが可能となる。
【００１０】
また、突起部の摺接面の形状を、回転軸体の回転中心軸から摺接面までの距離が次第に大きくなる曲面状に形成すれば、距離が大きくなるに従い摺接面が本体部の上面に押し付けられるようになって次第に抗力が大きくなるため、原稿載置台の閉動作に応じて摺接面で作用する摩擦力が大きくなるように設定できる。
【発明を実施するための最良の形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る画像読取装置が適用可能な画像形成装置全体の概略断面図である。画像形成装置の上部には原稿搬送部１及び原稿を読み取る原稿読取部２を備えた画像読取装置Ａが配置され、その下部に画像を記録する記録部３、画像を記録する用紙を搬送する用紙搬送部４及び２つの給紙部５、６が配されている。
【００１３】
原稿搬送部１では、原稿載置台である原稿トレイ１０、ピックアップローラ１１、セパレートローラ１２及びリタードローラ１３により原稿が搬入される。すなわち、原稿トレイ１０に載置された原稿がピックアップローラ１１により引き込まれ、セパレートローラ１２及びリタードローラ１３の間に原稿の先端が挟持される。セパレートローラ１２は時計回りに回転して原稿を引き込むように動作するが、リタードローラ１３も時計回りに回転して原稿を引き込まないように動作するため、原稿の二重送りが防止されて原稿が１枚ずつ搬入される。次に、原稿は、フィードローラ１４及びプレスローラ１５に挟持されて搬送され、ガイドに沿ってフィードローラ１６及びプレスローラ１７の間に原稿の先端が到達する。ここで、原稿検知センサにより原稿の先端が検知されると、フィードローラ１６が搬送を開始し、フィードローラ１８及びプレスローラ１９の間に原稿の先端が挟持されて一定速度で原稿は搬送される。その間にプラテン２３において原稿読取部２により原稿が読み取られる。こうして搬送されて読み取られた原稿は、排出ローラ２０及びプレスローラ２１の間に搬送されて原稿排出トレイ２２に搬出される。
【００１４】
原稿読取部２では、ランプ２４によりプラテン２３に向けて光を照射して原稿からの反射光をミラーでＣＣＤ２５に導き電気信号に変換される。
【００１５】
記録部３では、用紙搬送部４により搬送された用紙に記録するために、トナー容器２６、帯電ブラシ２９、感光体ドラム３０、転写ローラ３１、露光ヘッド３２及び定着ローラ３３が備えられている。まず、感光体ドラム３０の表面を帯電ブラシ２９により一様に帯電させ、帯電された感光体ドラム３０に露光ヘッド３２で画像記録信号に応じて露光することで静電潜像を形成する。次に、トナー容器２６内のトナーを供給ローラ２７から現像ローラ２８を介して感光体ドラム３０に形成された静電潜像に転移させて可視像化し、転写ローラ３１により感光体ドラム３０表面に形成されたトナー像を用紙に転写する。そして、転写されたトナー像は、定着ローラ３３及びプレスローラ３４によって挟持されて加熱・プレスされ用紙に定着される。
【００１６】
用紙搬送部４では、各給紙部５及び６の給紙カセット４３内に積載された用紙がピックアップローラ３５によって引き込まれ、フィードローラ３６及びプレスローラ３７の間に挟持されて搬送される。搬送された用紙は用紙ガイドに沿って搬送され、フィードローラ３８及びプレスローラ３９の間に挟持されて記録部３に搬送される。記録部３に搬送された用紙は、上述したように転写ローラ３１及び感光体ドラム３２の間を搬送されてトナー像が転写され、定着ローラ３３及びプレスローラ３４の間に挟持されてトナー像が定着されて、排出ローラ４０及びプレスローラ４１の間に挟持されて用紙排出トレイ４２に搬出される。
【００１７】
図２は、画像読取装置Ａの原稿トレイ１０が開いた状態を示す外観斜視図であり、図３は、原稿トレイ１０が閉まった状態の上面図を示している。原稿トレイ１０が閉まった状態で原稿トレイ１０の上面に原稿がセットされるが、原稿排出トレイ２２に排出された読取済み原稿を取り出す場合には原稿トレイ１０を上方に回動して開き、原稿を取り出すようにする。
【００１８】
画像読取装置Ａの本体部７の上部には、原稿トレイ１０の両側に図示せぬ一対の軸受体が突起状に形成されているおり、原稿トレイ１０の両側には、回転軸体１００及び１０１が側方に突設されており、回転軸体１００及び１０１がそれぞれ軸受体に装着されることで、原稿トレイ１０は本体部７の上部に回動可能に取り付けられるようになっている。原稿トレイ１０の上面には、原稿ガイド１０２及び１０３が取り付けられており、それぞれ底面の突起部が案内溝１０４及び１０５嵌合して摺動可能に設けられている。原稿トレイ１０の底面において回転軸体１０１が設けられた側には間隔設定部１０６が形成されており、原稿トレイ１０が閉じた場合の原稿排出トレイ２２との間の間隔を設定するようになっている。
【００１９】
図４は、図３のＡ−Ａ断面図を示している。原稿トレイ１０の底面には回転軸体１０１の周囲に突起部１０７が形成されており、その外周面に本体部７の上面Ｓに対する摺接面Ｔが形成されている。突起部１０７の摺接面Ｔの形状は、原稿トレイ１０の前端面から底面にかけて曲面状に形成されており、回転軸体１０１の軸心Ｏと摺接面Ｔとの間の距離は、前端側から底面側にいくに従い次第に大きくなるように設定されている。すなわち、前端側をａ、底面側をｃ、前端及び底面の間の中間においてｂとすると、
ａ＜ｂ＜ｃ
の関係に設定されている。そして、距離ｂが回転軸体１０１の軸心Ｏと本体部７の上面Ｓとの間の距離とほぼ等しくなるように設定されている。
【００２０】
図５は、原稿トレイ１０が閉じる方向に回動する様子を示す断面図である。図５（ａ）は、原稿トレイ１０がほぼ直立して開いた状態を示している。このように開いた状態では、本体部７の上面Ｓには、原稿トレイ１０の前端側が対向するようになり、回転軸体１０１の軸心Ｏと上面Ｓとの間の距離に対して摺接面Ｔまでの距離ａが小さいため、摺接面Ｔが上面Ｓに摺接することはない。
【００２１】
原稿トレイ１０が閉じる方向に回動していくと、図５（ｂ）に示すように、回転軸体１０１の軸心Ｏと摺接面Ｔとの間の距離が次第に大きくなっていくため、摺接面Ｔと上面Ｓとの間の空隙が縮まっていき、回転軸体１０１の軸心Ｏと摺接面Ｔとの間の距離が距離ｂになった所で摺接面Ｔが上面Ｓに摺接するようになる。そのため、両面の間に摩擦力が作用するようになって、原稿トレイ１０の閉じる方向の回動動作に対して制動が働くようになる。
【００２２】
さらに原稿トレイ１０が回動していくと、回転軸体１０１の軸心Ｏと摺接面Ｔとの間の距離がさらに大きくなっていくため、摺接面Ｔが上面Ｓに付与する抗力が強くなって両面の間の摩擦力がさらに大きくなる。したがって、原稿トレイ１０の回動動作に対する制動力が大きくなって回動速度を遅らせるように作用し、原稿トレイ１０の回動速度が次第に小さくなる。
【００２３】
そのため、原稿トレイ１０が閉じた状態となった時点では、図５（ｃ）に示すように、回転軸体１０１の軸心Ｏと摺接面Ｔとの間の距離が距離ｃとなって摺接面Ｔと上面Ｓとの間の摩擦力が最も大きく作用するようになり、ゆっくりとした速度で原稿トレイ１０が閉じるようになる。したがって、原稿トレイ１０を閉じる際に原稿トレイ１０から手を離しても本体部７に衝突することなく閉じた状態に設定されるようになる。
【００２４】
以上説明したように、突起部１０７を回転軸体１０１の周囲に形成することで、その摺接面Ｔが本体部７の上面Ｓに摺接して摩擦力が発生し、発生した摩擦力が次第に大きくなるようにすれば原稿トレイ１０から手を離しても静かに閉じるようにすることができる。また、原稿トレイ１０が閉じた状態において摺接面Ｔが上面Ｓに圧接された状態で維持されるので、原稿トレイ１０のガタツキが防止される。そして、原稿トレイ１０を手動により開く方向に回動する場合には、一定の負荷が加わるようになって原稿トレイ１０を急激に開くことを防止できる。
【図面の簡単な説明】
【００２５】
【図１】本発明に係る実施形態を適用可能な画像形成装置全体の概略断面図である。
【図２】原稿トレイの開いた状態を示す画像読取装置に関する外観斜視図である。
【図３】原稿トレイの開いた状態を示す画像読取装置に関する上面図である。
【図４】図３のＡ−Ａ断面図である。
【図５】原稿トレイが閉じる方向に回動する様子を示す断面図である。
【符号の説明】
【００２６】
Ａ    画像読取装置
Ｓ    本体部の上面
Ｔ    摺接面
１    原稿搬送部
２    原稿読取部
３    記録部
４    用紙搬送部
５    給紙部
６    給紙部
７    本体部
10    原稿トレイ
100   回転軸体
101   回転軸体
102   原稿ガイド
103   原稿ガイド
104   案内溝
105   案内溝
106   間隔設定部
107   突起部
【図１】
2007235631.tif 000003
【図２】
2007235631.tif 000004
【図３】
2007235631.tif 000005
【図４】
2007235631.tif 000006
【図５】
2007235631.tif 000007